(57)【特許請求の範囲】
【請求項１】
通常状態及び該通常状態よりも大当たり確率が高い確率変動状態において特定入賞口へのパチンコ玉の入賞により発生する抽選権利に基づいて表示態様が変動する抽選用表示動作を実行する抽選結果表示手段と、
前記特定入賞口へのパチンコ玉の入賞が、当該入賞により発生した抽選権利に基づく前記抽選用表示動作を実行することが不可能な期間に発生した場合に、その入賞パチンコ玉数を抽選権利数に対応した保留玉数として計数する計数手段と、
前記抽選結果表示手段が前記抽選用表示動作を実行可能な期間において前記保留玉数に応じた抽選権利を履行すると共に前記計数手段の計数値を減少させる抽選権利制御手段とを備え、
前記抽選結果表示手段に表示された抽選結果が大当たりであったときに入賞率を高めた特賞状態を呈するパチンコ遊技機において、
前記計数手段の計数値に応じて前記確率変動状態を発生させる遊技制御手段と、
動作状態で前記特定入賞口へのパチンコ玉の入賞確率を高めた状態を呈する役物と、
遊技により所定条件が成立したときに前記役物を動作させる役物制御手段とを備え、
前記計数手段は、前記特賞状態に切り替えられた期間並びに前記抽選結果表示手段の動作期間において、前記特定入賞口へ入賞したパチンコ玉数を抽選権利数に対応した保留玉数として計数し、
前記役物制御手段は、前記特賞状態へ移行した期間には前記役物の動作時間を通常時より延長する制御を行うことを特徴とするパチンコ遊技機。
【請求項２】
通常状態及び該通常状態よりも大当たり確率が高い確率変動状態において特定入賞口へのパチンコ玉の入賞により発生する抽選権利に基づいて表示態様が変動する抽選用表示動作を実行する抽選結果表示手段と、
前記特定入賞口へのパチンコ玉の入賞が、当該入賞により発生した抽選権利に基づく前記抽選用表示動作を実行することが不可能な期間に発生した場合に、その入賞パチンコ玉数を抽選権利数に対応した保留玉数として計数する計数手段と、
前記抽選結果表示手段が前記抽選用表示動作を実行可能な期間において前記保留玉数に応じた抽選権利を履行すると共に前記計数手段の計数値を減少させる抽選権利制御手段とを備え、
前記抽選結果表示手段に表示された抽選結果が大当たりであったときに入賞率を高めた特賞状態を呈するパチンコ遊技機において、
前記計数手段の計数値に応じて前記確率変動状態を発生させる遊技制御手段と、
動作状態で前記特定入賞口へのパチンコ玉の入賞確率を高めた状態を呈する役物と、
遊技により所定条件が成立したときに前記役物を動作させる役物制御手段とを備え、
前記計数手段は、前記特賞状態に切り替えられた期間並びに前記抽選結果表示手段の動作期間において、前記特定入賞口へ入賞したパチンコ玉数を抽選権利数に対応した保留玉数として計数し、
前記役物制御手段は、予め設定された条件の元に前記特賞状態へ移行した期間には前記役物の動作時間を通常時より延長する制御を行うことを特徴とするパチンコ遊技機。
【発明の詳細な説明】
【０００１】
【発明の属する技術分野】
本発明は、特定入賞口へのパチンコ玉の入賞を条件に行われる抽選動作の結果に応じて入賞率を高めた特賞状態を呈するパチンコ遊技機に関する。
【０００２】
【発明が解決しようとする課題】
近年では、デジパチと呼ばれるパチンコ遊技機が数多く提供されている。この種のパチンコ遊技機は、一般的には、特定入賞口へのパチンコ玉の入賞に応じて抽選動作の権利が発生し、その権利に基づいた抽選動作の結果を数字や図柄の組み合わせたルーレットを動作させて表示する構成となっており、抽選結果が大当たりであったときには、電気役物を動作させて入賞率を極端に高めた特賞状態を呈するようになっている。また、このようなパチンコ遊技機では、ルーレットの動作期間中に特定入賞口へパチンコ玉が入賞したときには、発生した抽選動作の権利を所定の上限数（現状では「４」）まで保留すると共に、ルーレットの動作が停止したところで保留権利（抽選権利）を履行してルーレットを再動作させる構成が一般的になっており、これにより遊技に対する興趣の向上を図るようにしている。さらに、遊技に対する興趣の向上を図るために、所謂確率変動（ルーレットに表示された大当たり図柄が所定のものであった場合に、大当たり終了後に行われる抽選動作時の大当たり確率を通常時より高めること）を発生させることも一般的になっている。
【０００３】
しかしながら、このようなパチンコ遊技機では、ルーレットが動作停止したときに大当たりになるか否かという点や、大当たりになったときに確率変動状態に移行するか否かという点などのみに興趣が集中し勝ちであるため、その遊技態様が単調にならざるを得ず、遊技に対し飽きが出てくることが避けられない。また、確率変動状態には、大当たりが発生したときのみ移行可能な構成であると共に、その後に予め決められた条件が成立しなかったときに消滅してしまうので、確率変動状態の発生に対する期待感が極めて限定された短い期間にしか発生せず、この面からも遊技に対し飽きが出てくることになる。このような事情に対処するために、従来では、ルーレットの表示形態にアニメーションを採用するなど、種々の工夫を凝らすことが行われているが、それでも遊技態様の単調さを十分に解消したものとは言えず、遊技に対する興趣の向上を十分に図ることが困難であった。
【０００４】
本発明は上記事情に鑑みてなされたものであり、その目的は、確率変動状態の発生条件に工夫を加えることにより、遊技態様が単調になる事態を効果的に防止し、以て遊技に対する興趣の向上を実現できるようになるパチンコ遊技機を提供することにある。
【０００５】
【課題を解決するための手段】
請求項１記載の発明は、上記目的を達成するために、通常状態及び該通常状態よりも大当たり確率が高い確率変動状態において特定入賞口へのパチンコ玉の入賞により発生する抽選権利に基づいて表示態様が変動する抽選用表示動作を実行する抽選結果表示手段と、前記特定入賞口へのパチンコ玉の入賞が、当該入賞により発生した抽選権利に基づく前記抽選用表示動作を実行することが不可能な期間に発生した場合に、その入賞パチンコ玉数を抽選権利数に対応した保留玉数として計数する計数手段と、前記抽選結果表示手段が前記抽選用表示動作を実行可能な期間において前記保留玉数に応じた抽選権利を履行すると共に前記計数手段の計数値を減少させる抽選権利制御手段とを備え、前記抽選結果表示手段に表示された抽選結果が大当たりであったときに入賞率を高めた特賞状態を呈するパチンコ遊技機において、
前記計数手段の計数値に応じて前記確率変動状態を発生させる遊技制御手段と、動作状態で前記特定入賞口へのパチンコ玉の入賞確率を高めた状態を呈する役物と、遊技により所定条件が成立したときに前記役物を動作させる役物制御手段とを備え、前記計数手段は、前記特賞状態に切り替えられた期間並びに前記抽選結果表示手段の動作期間において、前記特定入賞口へ入賞したパチンコ玉数を抽選権利数に対応した保留玉数として計数し、前記役物制御手段は、前記特賞状態へ移行した期間には前記役物の動作時間を通常時より延長する制御を行う構成としたものである。
【０００６】
この構成によるパチンコ遊技機によれば、通常状態及び該通常状態よりも大当たり確率が高い確率変動状態において特定入賞口へパチンコ玉が入賞する毎に抽選権利が発生し、その抽選権利に基づいた抽選の結果を抽選結果表示手段による抽選用表示動作により表示するようになっており、当該抽選結果が大当たりであったときには、入賞率を高めた特賞状態を呈するようになる。この場合、抽選結果表示手段は、その表示態様を変動させることにより抽選用表示動作を実行する構成となっているため、抽選結果が表示されるまでに時間遅れがあり、従って、その表示動作期間中においても特定入賞口へパチンコ玉が入賞することになる。例えば、このような抽選結果表示手段の表示動作期間中のように、特定入賞口へのパチンコ玉の入賞が、当該入賞により発生した抽選権利に基づく前記抽選用表示動作を実行することが不可能な期間に発生した場合には、計数手段が、その入賞数を抽選権利数を示す保留玉数として計数するようになる。また、抽選結果表示手段が前記抽選用表示動作を実行可能な状態になった期間には、抽選権利制御手段が、保留玉数に応じた抽選権利を履行して抽選結果表示手段による抽選用表示動作を再開させると共に、計数手段の計数値を減少させるようになる。この場合、計数手段の計数値は、特定入賞口へのパチンコ玉の入賞状況に応じて大小変化するものであり、遊技制御手段は、その計数手段の計数値、つまり保留玉数の大小に応じて確率変動状態を発生させる制御を実行するようになる。
【０００７】
このように保留玉数の大小が確率変動状態の発生の有無に関与する結果、遊技客側では、パチンコ遊技機が大当たり状態にない通常期間、つまり、一般的にパチンコ遊技機での遊技時において長い時間を占めることになる期間においても確率変動状態が発生することへの期待感が高まるようになる。また、遊技客側では保留玉数の増減状態にも気を配りながら遊技を行うようになって、遊技態様が単調になって遊技に飽きるといった事態を防止できるようになる。つまり、従来構成のパチンコ遊技機のように遊技態様が単調になることがなくなり、結果的に遊技に対する興趣の向上を期待できるようになる。
さらに、遊技により所定条件が成立したときには、役物が動作されて特定入賞口へのパチンコ玉の入賞確率が高くなる結果、前記保留玉数（抽選権利数）が増えて確率変動状態が発生しやすくなる。このため、役物を動作させるか否かも遊技の興趣対象となって、遊技態様にメリハリがつくようになり、遊技に対する興趣の向上を実現できるようになる。
【００１１】
また、特賞状態へ移行した期間、つまり遊技客側が多量のパチンコ玉を獲得できる期間には、所定条件が成立したときに役物が比較的長い時間動作されて、特定入賞口へのパチンコ玉の入賞確率が高くなるため、前記保留玉数（抽選権利数）が増える方向に作用して、確率変動状態が発生する可能性が高くなる。この結果、メリハリのついた遊技態様が得られるようになり、上記のような利益が得られる役物の存在とあいまって、遊技に対する興趣の向上に大きく寄与できるようになる。
【００１２】
請求項２記載の発明のように、前記役物制御手段を、予め設定された条件の元に前記特賞状態へ移行した期間には前記役物の動作時間を通常時より延長する制御を行う構成としても良い。
【００１３】
この構成によれば、予め設定された特定の条件の元に特賞状態へ移行した期間、つまり遊技客側が多量のパチンコ玉を獲得できる期間には、所定条件が成立したときに役物が比較的長い時間動作されて、特定入賞口へのパチンコ玉の入賞確率が高くなるため、前記保留玉数（抽選権利数）が増える方向に作用して、確率変動状態が発生する可能性が高くなる。この結果、メリハリのついた遊技態様が得られるようになり、上記のような利益が得られる役物の存在、並びに上記特定の条件の成立の有無が遊技客側の利益に直結するという事情とあいまって、遊技に対する興趣の向上に大きく寄与できるようになる。
【００１４】
【発明の実施の形態】
以下、本発明の一実施例について図面を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、駆動状態で拡開される電動チューリップ６ａ（役物に相当）を備えたスタート入賞口６（特定入賞口に相当）、大当たり用入賞口７、例えば２個のスルー入賞口８、９が設けられていると共に、図示しない通常入賞口も設けられている。尚、スタート入賞口６へのパチンコ玉の入賞確率は、これに備えられた電動チューリップ６ａが駆動停止された閉鎖期間には比較的低い状態となるように調整されており、当該電動チューリップ６ａが駆動された開放期間には大幅に高められた状態を呈することになる。
【００１５】
盤面４の中央部に設けられた表示装置１０は、例えばカラー液晶ディスプレイより成るもので、この表示装置１０には、図３に模式的に示すように、メイン図柄表示エリア１１（抽選結果表示手段に相当）、保留玉表示部１２ａを備えたサブ図柄表示エリア１２、保留玉数表示エリア１３、メッセージ表示エリア１４が設定されている。
【００１６】
この図３において、メイン図柄表示エリア１１は、後述するような条件が成立したときに動作開始されるメイン抽選用ルーレットのための数字や絵柄を表示するためのもので、図３には３桁の数字列を表示する例が示されている。この場合、当該ルーレットの動作時、つまりメイン抽選用表示動作（抽選用表示動作に相当）時には、数字列の各桁が０〜９の範囲で設定時間だけ変動され、抽選結果が大当たりであったときには、その変動終了時点で数字列がゾロ目（０００、１１１、……、９９９の何れか）の大当たり図柄で揃うように制御される。
【００１７】
この場合、メイン抽選動作の大当たり確率は、パチンコ遊技機１が通常状態にある期間には例えば１／１５０に設定されているが、後述するような確率変動状態にある期間には、例えば１／５０まで高められるものである。
【００１８】
また、本実施例では、上記大当たりの態様として、後述するような特典が付与される「スーパー大当たり」と当該特典の付与がない「ノーマル大当たり」との２種類が設定されている。そして、抽選結果が「スーパー大当たり」であったときには、上記メイン抽選用ルーレットは奇数のゾロ目（１１１、３３３、……、９９９）の何れかの大当たり図柄で揃うように制御され、抽選結果が「ノーマル大当たり」であったときには、上記メイン抽選用ルーレットは零を含む偶数のゾロ目（０００、２２２、……、８８８）の何れかの大当たり図柄で揃うように制御される。
【００１９】
また、上記メイン抽選用表示動作の結果、大当たりとなったときには大当たり用入賞口７が予め決められたモードにて所定期間だけ開放されて入賞率が極端に高められた特賞状態を呈するものである。特に、その特賞状態が「スーパー大当たり」に基づいて発生したものであった場合には、後述するサブ抽選動作の当たり確率を、例えば通常時の１／１０から１／２まで高めると共に、電動チューリップ６ａの駆動時間（開放時間）を通常時の０．５秒から５秒に延長するという特典付与動作を実行するものである。尚、大当たりが「ノーマル大当たり」であった場合には、このような特典付与動作は実行されない。
【００２０】
サブ図柄表示エリア１２は、スルー入賞口８、９へのパチンコ玉の入賞に応じて動作開始するサブ抽選用ルーレットのための数字や絵柄を表示するためのもので、図３には２桁の数字列を表示する例が示されている。この場合、当該サブ抽選用ルーレットの動作時、つまりサブ抽選動作のための表示動作時には、数字列の各桁が０〜９の範囲で設定時間だけ変動され、抽選結果が当たりであったときには、その変動終了時点で数字列がゾロ目（００、１１、２２、……、９９）の何れかの当たり図柄で揃うように制御される。そして、サブ抽選動作の結果が当たりであったときには、電動チューリップ６ａが所定時間だけ駆動される構成となっている。
【００２１】
この場合、電動チューリップ６ａの駆動時間は、通常時において０．５秒に設定されており、「スーパー大当たり」による特賞状態が発生したときに５秒に延長されることについては前述した。また、サブ抽選動作の当たり確率は、通常時において１／１０に設定されており、「スーパー大当たり」による特賞状態が発生したときに１／２まで高められることについても前述した。尚、サブ図柄表示エリア１２内に設けられた保留玉表示部１２ａは、上記サブ抽選用ルーレットの動作状態時にスルー入賞口８、９に入賞したパチンコ玉数（サブ抽選保留玉数）を例えば最高４個まで表示するためのものである。
【００２２】
保留玉数表示エリア１３は、パチンコ遊技機１が特賞状態にある期間並びにメイン抽選用ルーレットの動作状態時にスタート入賞口６に入賞したパチンコ玉数（メイン抽選保留玉数）を例えば最高１００個まで表示するためのものであり、その表示は、ドットを利用してデジタル的に行われる。この場合、各ドットは、通常状態（保留玉が９個までの状態）で発生した保留玉と確率変動状態（保留玉が１０個以上の状態）で発生した保留玉とがそれぞれ異なる色で区別して表示される。
メッセージ表示エリア１４は、「大当たり中！」、「ただいま確率変動中！」などのメッセージを表示できる構成となっている。
【００２３】
図１にはパチンコ遊技機１の電気的構成が機能ブロックの組み合わせにより示されている。この図１において、スタート入賞検出器１５は、スタート入賞口６にパチンコ玉が入賞したときに検知パルスを発生する。スルー検出器１６及び１７は、スルー入賞口８及び９にそれぞれ対応したもので、対応するスルー入賞口８及び９にパチンコ玉が入賞した各場合に検知パルスを発生する。また、大当たり入賞検出器１８は、大当たり用入賞口７にパチンコ玉が入賞する毎に検知パルスを発生し、通常入賞検出器１９は、図示しない通常入賞口にパチンコ玉が入賞する毎に検知パルスを発生する。
【００２４】
ＣＰＵ２０（計数手段、抽選権利制御手段、遊技制御手段、役物制御手段に相当）は、制御プログラムを記憶したＲＯＭ２１及びワーキングエリア用のＲＡＭ２２など共にマイクロコンピュータを構成するもので、このＣＰＵ２０には、スタート入賞検出器１５、スルー検出器１６及び１７、大当たり入賞検出器１８、通常入賞検出器１９からの各検知パルスが入力回路２３を通じて入力される構成となっている。また、ＣＰＵ２０は、スタート入賞口６に設けられた電動チューリップ６ａを駆動するための電動チューリップ用ソレノイド２４、大当たり用入賞口７を駆動するための大当たり用入賞口ソレノイド２５、及びパチンコ遊技機１に設けられた各種ランプ類２６の動作を出力回路２７を通じて制御する構成となっている。さらに、ＣＰＵ２０は、表示装置１０の表示内容の制御を表示制御基板２８を通じて行うと共に、パチンコ遊技機１に設けられたスピーカ２９を通じた報知動作の制御を音声制御基板３０及びアンプ３１を通じて行う構成となっている。尚、ＣＰＵ２０に対しては、リセット回路３２が一定周期でリセット信号を出力して初期化を行い、ノイズなどによる誤動作を防止している。
【００２５】
図４〜図９には、ＣＰＵ２０による制御内容のうち本発明の要旨に関連した抽選機能部分の内容が示されており、以下これらについて説明する。
抽選機能部分の全体の制御内容を示す図４において、ＣＰＵ２０は、抽選機能を働かせるために、スルー入賞処理ルーチンＡ１、スタート入賞処理ルーチンＡ２、サブ図柄変動処理ルーチンＡ３、メイン図柄変動処理ルーチンＡ４、大当たり処理ルーチンＡ５を順次実行する構成となっている。
【００２６】
図５にはスルー入賞処理ルーチンＡ１の内容が示されている。この処理ルーチンＡ１においては、スルー入賞（パチンコ玉がスルー入賞口８、９の何れかを通過した状態）の有無をスルー検出器１６、１７からの検知パルスに基づいて判断し（ステップＢ１）、スルー入賞がない状態ではそのままリターンする。これに対して、スルー入賞があった場合には、サブ保留カウンタの計数値が「４」であるか否かを判断する（ステップＢ２）。
【００２７】
上記サブ保留カウンタは、サブ図柄表示エリア１２でのサブ抽選用ルーレットの動作状態時にスルー入賞があった場合に、その入賞パチンコ玉数（サブ抽選保留玉数）を最大で４個まで計数するためのものである。このサブ保留カウンタの計数値が「４」であった場合、つまりサブ抽選保留玉数が４個の状態で新たにスルー入賞があった場合には、そのままリターンする。これに対して、サブ保留カウンタの計数値が「４」未満であった場合には、サブ抽選動作を予め記憶しているサブ抽選テーブルを使用して行う（ステップＢ３）。次いで、サブ抽選動作の結果（当たり、外れ）に応じてサブ図柄表示エリア１２に表示するサブ図柄（サブ抽選用ルーレットが停止したときに表示する数字列）の抽選動作を行い（ステップＢ４）、その抽選により決定されたサブ図柄情報を、例えばＲＡＭ２２中に設定された表示図柄記憶領域に記憶する（ステップＢ５）。この後には、サブ保留カウンタの計数値を「１」だけインクリメントするステップＢ６、保留玉表示部１２ａに表示するサブ抽選保留玉数を新たな計数値に変更するステップＢ７を順次実行した後にリターンする。
【００２８】
要するに、保留玉表示部１２ａに表示されているサブ抽選保留玉数が「４」未満の状態においては、スルー入賞口８或いは９にパチンコ玉が入賞（通過）する毎にサブ抽選動作が行われて、その抽選結果に応じたサブ図柄情報が表示図柄記憶領域に記憶されると共に、保留玉表示部１２ａに対するサブ抽選保留玉数の表示値が「１」だけインクリメントされるものである。尚、サブ図柄情報の最大記憶数は「４」である。また、保留玉表示部１２ａに表示されているサブ抽選保留玉数が「４」の状態でスルー入賞口８或いは９にパチンコ玉が入賞したときには、その入賞に伴うサブ抽選動作の権利が無効化されるものである。
【００２９】
図６にはサブ図柄変動処理ルーチンＡ３の内容が示されている。この処理ルーチンＡ３においては、まず、サブ保留カウンタの計数値（つまり、サブ抽選保留玉数）が「１」以上であるか否かを判断する（ステップＣ１）。その計数値が  「０」の場合にはそのままリターンするが、「１」以上の場合には、表示図柄記憶領域に記憶されているサブ図柄情報を読み込むステップＣ２、サブ保留カウンタの計数値を「１」だけデクリメントするステップＣ３、保留玉表示部１２ａに表示するサブ抽選保留玉数を新たな計数値に変更するステップＣ４を順次実行した後に、サブ図柄変動処理ルーチンＣ５を実行する。このルーチンＣ５では、サブ抽選用ルーレットの動作（サブ図柄表示エリア１２に表示するサブ図柄を変動させる動作）を所定時間だけ行った後に、当該サブ抽選用ルーレットの動作停止に応じてサブ図柄表示エリア１２にステップＣ２で読み込んだサブ図柄情報を表示させ、さらに、当該サブ図柄情報を表示図柄記憶領域から消去する。
【００３０】
このようなサブ図柄変動処理ルーチンＣ５の実行に応じたサブ抽選用ルーレットの変動が停止したときには、停止図柄が当たり図柄（００、１１、２２、……、９９のようなゾロ目）と一致するか否かを判断する（ステップＣ６）。そして、停止図柄が当たり図柄と一致しない場合にはそのままリターンするが、一致する場合には、スーパー大当たりフラグが「１」であるか否かを判断する（ステップＣ７）。尚、このスーパー大当たりフラグは、後述の説明により明らかとなるように、メイン抽選動作の結果が「大当たり」であった場合において、その大当たり図柄が（１１１、３３３、……、９９９のような奇数のゾロ目）であった状態時に「１」にセットされるものである。
【００３１】
スーパー大当たりフラグが「１」の場合には、電動チューリップ用ソレノイド２４を駆動して電動チューリップ６ａを例えば５秒だけ開放させる動作を開始させ（ステップＣ８）、この後にリターンする。また、スーパー大当たりフラグが「０」の場合には、電動チューリップ用ソレノイド２４を駆動して電動チューリップ６ａを例えば０．５秒だけ開放させる動作を開始させ（ステップＣ９）、この後にリターンする。
【００３２】
要するに、サブ保留カウンタの計数値が「１」以上ある状態、つまり、前記スルー入賞処理ルーチンＡ１でのサブ抽選動作の結果に応じたサブ図柄情報が表示図柄記憶領域に記憶されている状態では、サブ図柄表示エリア１２に表示中のサブ図柄を変動させることによりサブ抽選用ルーレットを動作させる。そして、サブ抽選の結果が「当たり」であった場合（上記サブ図柄情報が当たり図柄に対応するものであった場合）には、電動チューリップ６ａを所定時間だけ開放することにより、スタート入賞口６への入賞確率を高めた状態に維持する。このときの電動チューリップ６ａの開放時間は、スーパー大当たりフラグが「１」の期間には５秒に設定され、当該フラグが「０」の期間には０．５秒に設定される。また、上記のようにサブ抽選用ルーレットを動作させたときには、サブ保留カウンタの計数値、つまり保留玉表示部１２ａに表示するサブ抽選保留玉数を「１」だけ減らすという処理が行われる。
【００３３】
図７にはスタート入賞処理ルーチンＡ２の内容が示されている。この処理ルーチンＡ２においては、スタート入賞（スタート入賞口６へのパチンコ玉の入賞）の有無をスタート入賞検出器１５からの検知パルスに基づいて判断し（ステップＤ１）、スタート入賞がない状態ではそのままリターンする。これに対して、スタート入賞があった場合には、メイン保留カウンタの計数値が予め設定された上限値である例えば「１００」であるか否かを判断する（ステップＤ２）。尚、スタート入賞があったときには、所定個数のパチンコ玉が上皿２へ放出される構成となっている。
【００３４】
上記メイン保留カウンタは、メイン図柄表示エリア１１でのメイン抽選用ルーレットの動作状態時にスタート入賞があった場合に、その入賞パチンコ玉数（メイン抽選保留玉数）をメイン抽選権利数として最大で「１００」まで計数するためのものであり、その計数値は、保留玉数表示エリア１３にメイン抽選保留玉数として表示される。このメイン保留カウンタの計数値が「１００」であった場合、つまりメイン抽選保留玉が１００個の状態で新たにスタート入賞があった場合には、そのままリターンする。これに対して、メイン保留カウンタの計数値が  「１００」未満であった場合には、メイン抽選動作を予め記憶しているメイン抽選テーブルを使用して行う（ステップＤ３）。次いで、メイン抽選動作の結果  （大当たり、外れ）に応じてメイン図柄表示エリア１１に表示するメイン図柄  （メイン抽選用ルーレットが停止したときに表示する数字列）の抽選動作を行い（ステップＤ４）、その抽選により決定されたメイン図柄情報を、例えばＲＡＭ２２中に設定された表示図柄記憶領域に記憶する（ステップＤ５）。
【００３５】
この後には、メイン保留カウンタの計数値を「１」だけインクリメントするステップＤ６、保留玉数表示エリア１３に表示するメイン抽選保留玉数を新たな計数値に変更するステップＤ７を順次実行した後に、確変フラグが「０」であるか否かを判断する（ステップＤ８）。この確変フラグは、メイン抽選動作の大当たり確率を設定するためのものであり、その大当たり確率は、「０」の通常状態時に１／１５０に設定され、「１」の確率変動状態時に１／５０に設定される。
【００３６】
そして、確変フラグが「１」の場合にはそのままリターンするが、「０」の場合には、メイン保留カウンタの計数値が予め設定されたしきい値である「１０」以上あるか否かを判断する（ステップＤ９）。当該計数値が「１０」未満の場合にはそのままリターンするが、「１０」以上の場合には、確変フラグを「１」にセットするステップＤ１０を実行した後にリターンする。
【００３７】
要するに、保留玉数表示エリア１３に表示されているメイン抽選保留玉数が  「１００」未満の状態においては、スタート入賞口６にパチンコ玉が入賞する毎にメイン抽選動作が行われて、その抽選結果に応じたメイン図柄情報が表示図柄記憶領域記憶されると共に、保留玉数表示エリア１３に対するメイン抽選保留玉数の表示値が「１」だけインクリメントされるものである。また、保留玉数表示エリア１３に表示されているメイン抽選保留玉数が「１００」の状態でスタート入賞口６にパチンコ玉が入賞したときには、その入賞に伴うメイン抽選動作の権利が無効化されるものである。さらに、メイン抽選保留玉数の表示値が増える方向に更新された場合（メイン抽選保留玉数が「１００」未満の状態でスタート入賞口６にパチンコ玉が入賞した場合）において、その表示値（メイン保留カウンタの計数値）が「１０」以上ある場合には、確変フラグが「１」にセットされてパチンコ遊技機１が確率変動状態へ移行されることになる。
【００３８】
図８にはメイン図柄変動処理ルーチンＡ４の内容が示されている。この処理ルーチンＡ４においては、まず、大当たりフラグ（スーパー大当たりフラグ若しくはノーマル大当たりフラグ）が「１」であるか否かを判断する（ステップＥ１）。尚、この大当たりフラグは、前述したようにメイン抽選動作の結果が「大当たり」であった場合に「１」にセットされるものである。大当たりフラグが「１」の場合にはそのままリターンするが、「０」の場合には、メイン保留カウンタの計数値（つまり、メイン抽選保留玉数）が「１」以上であるか否かを判断する  （ステップＥ２）。その計数値が「０」の場合にはそのままリターンするが、  「１」以上の場合には、表示図柄記憶領域に記憶されているメイン図柄情報を読み込むステップＥ３、メイン保留カウンタの計数値を「１」だけデクリメントするステップＥ４を順次実行した後に確変フラグが「１」か否かを判断する（ステップＥ５）。
【００３９】
確変フラグが「１」の場合にはメイン保留カウンタの計数値が「１０」未満か否かを判断し（ステップＥ６）、「１０」未満の場合には、確変フラグを「０」にリセットするステップＥ７を実行した後に、保留玉数表示エリア１３に表示するメイン抽選保留玉数を新たな計数値に変更するためのステップＥ８へ移行する。尚、確変フラグが「０」であった場合（ステップＥ５で「ＮＯ」）には、ステップＥ６及びＥ７をジャンプして表示更新ステップＥ８へ移行し、メイン保留カウンタの計数値が「１０」以上であった場合（ステップＥ６で「ＮＯ」）には、ステップＥ７をジャンプして表示更新ステップＥ８へ移行する。
【００４０】
表示更新ステップＥ８の実行後には、メイン図柄変動処理ルーチンＥ９を実行する。このルーチンＥ９では、メイン抽選用ルーレットの動作（メイン図柄表示エリア１１に表示するメイン図柄を変動させる動作）を所定時間だけ行った後に、当該メイン抽選用ルーレットの動作停止に応じてメイン図柄表示エリア１１にステップＥ３で読み込んだメイン図柄情報を表示させ、さらに、当該メイン図柄情報を表示図柄記憶領域から消去する。
【００４１】
このようなメイン図柄変動処理ルーチンＥ９の実行に応じたメイン抽選用ルーレットの変動が停止したときには、停止図柄がスーパー大当たり図柄（１１１、３３３、……、９９９のような奇数のゾロ目）と一致するか否かを判断する（ステップＥ１０）。さらに、停止図柄がスーパー大当たり当たり図柄と一致しない場合には、その停止図柄がノーマル大当たり図柄（０００、２２２、……、８８８のような偶数のゾロ目）と一致するか否かを判断する（ステップＥ１１）。そして、停止図柄がスーパー大当たり図柄及びノーマル大当たり図柄の何れとも一致しない場合にはそのままリターンする。
【００４２】
停止図柄がスーパー大当たり図柄と一致する場合には、スーパー大当たりフラグを「１」にセットするステップＥ１２、メッセージ表示エリア１４にパチンコ遊技機１がスーパー大当たり状態にあることを示すスーパー大当たりメッセージ（例えば「スーパー大当たり中！」）を表示するステップＥ１３を順次実行した後にリターンする。また、停止図柄がノーマル大当たり図柄と一致する場合には、ノーマル大当たりフラグを「１」にセットするステップＥ１４、メッセージ表示エリア１４にパチンコ遊技機１がノーマル大当たり状態にあることを示すノーマル大当たりメッセージ（例えば「大当たり中！」）を表示するステップＥ１５を実行した後にリターンする。
【００４３】
要するに、パチンコ遊技機１が特賞状態にない期間（スーパー大当たりフラグ及びノーマル大当たりフラグが「０」の期間）において、保留玉数表示エリア１３でのメイン抽選保留玉数の表示値（メイン保留カウンタの計数値）が「１」以上あるときには、抽選結果を示すメイン図柄情報を読み込むと共に、メイン図柄表示エリア１１に表示中のメイン図柄を変動させることによりメイン抽選用ルーレットを動作開始させ、そのルーレットの停止図柄が上記メイン図柄情報に対応したものとなるように制御される。このようにメイン抽選用ルーレットが動作開始される前には、上記メイン抽選保留玉数の表示値が「１」だけ減少され、確変フラグが「１」の状態にあった場合において、減少された後の表示値が「１０」未満になったときには、当該確変フラグが「０」にリセットされる。また、抽選結果が「スーパー大当たり」であったときにはスーパー大当たりフラグが「１」にセットされ、抽選結果が「ノーマル大当たり」であったときにはノーマル大当たりフラグが「１」にセットされる。
【００４４】
図９には大当たり処理ルーチンＡ５の内容が示されている。この処理ルーチンＡ５においては、まず、大当たりフラグ（スーパー大当たりフラグ若しくはノーマル大当たりフラグ）が「１」であるか否かを判断する（ステップＦ１）。大当たりフラグが「０」の場合にはそのままリターンするが、「１」の場合には、大当たり用入賞口ソレノイド２５を所定モードで動作させることにより、大当たり用入賞口７を、例えば２０秒経過するか若しくはパチンコ玉が１０個入賞するまで継続的に開放させる（ステップＦ２）。これにより、パチンコ遊技機１の入賞率が大幅に高められた特賞状態となる。
【００４５】
上記ステップＦ２の実行後には、大当たり用入賞口７の開放回数を計数するための開放カウンタ（初期値は「０」）を「１」だけインクリメントし（ステップＦ３）、この後に当該開放カウンタの計数値が「１０」か否かを判断する（ステップＦ４）。開放カウンタの計数値が「１０」未満のときにはそのままリターンするが、「１０」になったときには大当たりフラグ（スーパー大当たりフラグ或いはノーマル大当たりフラグ）を「０」にリセットするステップＦ５、開放カウンタの計数値をリセットするステップＦ６を順次実行した後にリターンする。
【００４６】
要するに、大当たりフラグ（スーパー大当たりフラグ或いはノーマル大当たりフラグ）が「１」にセットされた状態（メイン抽選動作により大当たりが発生した状態）では、大当たり入賞口７の所定モードでの開放動作が１０回だけ行われて、パチンコ遊技機１の入賞率が大幅に高められた特賞状態となる。特賞状態が終了したときには大当たりフラグが「０」にリセットされる。
【００４７】
ここで、上述した各処理ルーチンＡ１〜Ａ６が実行された場合の主な動作内容をまとめると下記のようになる。
（１）初期状態では、確変フラグ、スーパー及びノーマルの各大当たりフラグは「０」である。
【００４８】
（２）スタート入賞口６へパチンコ玉が入賞したときには、メイン抽選保留玉数（メイン保留カウンタの計数値）が「１００」未満であることを前提に抽選権利が発生してメイン抽選動作が行われる共に、抽選の結果に応じたメイン図柄情報が逐次記憶される。
【００４９】
（３）パチンコ遊技機１が特賞状態にある期間並びにメイン図柄表示エリア１１でメイン抽選用ルーレットが動作されている期間においてスタート入賞口６へパチンコ玉が入賞したときには、その入賞数（抽選権利数）が前記メイン抽選保留玉数として最大で「１００」まで保持されると共に、保留玉数表示エリア１３に表示される。
【００５０】
（４）パチンコ遊技機１が特賞状態にない通常状態時においては、メイン抽選用ルーレットの動作が停止されている期間に、スタート入賞口６へのパチンコ玉の入賞に応じて発生した抽選権利が履行されて、メイン抽選用ルーレットの動作、つまりメイン抽選動作の結果を表示するためのメイン抽選用表示動作が行われると共に、メイン抽選保留玉数が「１」だけ減らされる。
【００５１】
（５）メイン抽選保留玉数が「１０」以上になったときに確変フラグが「１」にセットされ、「１０」未満になったとき当該確変フラグが「０」にリセットされる。確変フラグが「１」にセットされている期間、つまりメイン抽選保留玉数が「１０」以上ある期間には、上記メイン抽選動作での大当たり確率が通常期間の１／１５０から１／５０までに高められた確率変動状態へ移行する。
【００５２】
（６）メイン抽選用ルーレットが動作停止したときの表示図柄がスーパー大当たり図柄と一致するとき（「スーパー大当たり」が発生したとき）には、スーパー大当たりフラグが「１」にセットされ、メイン抽選用ルーレットが動作停止したときの表示図柄がノーマル大当たり図柄と一致するとき（「ノーマル大当たり」が発生したとき）には、ノーマル大当たりフラグが「１」にセットされる。また、このようにスーパー大当たりフラグ若しくはノーマル大当たりフラグが「１」になったときには、大当たり用入賞口７の開放動作が開始され、以てパチンコ遊技機１が入賞率を大幅に高めた特賞状態を呈する。また、大当たり用入賞口７の開放動作が１０回行われた後には、上記大当たりフラグが「０」にリセットされ特賞状態が終了する。
【００５３】
（７）スルー入賞口８或いは９をパチンコ玉が通過したときには、サブ図柄表示エリア１２でのサブ抽選用ルーレットの動作、つまりサブ抽選動作が開始される。その抽選結果が当たりであった場合には、電動チューリップ６ａが開放されてスタート入賞口６への入賞確率が高められる。このとき、電動チューリップ６ａの開放時間は通常状態にある期間に０．５秒に制御されるが、スーパー大当たりフラグが「１」の期間、つまり、「スーパー大当たり」の発生（請求項４の発明でいう「予め設定された条件」に相当）の元に特賞状態へ移行したときには、その開放時間が５秒となるように制御される。
【００５４】
（８）サブ抽選用ルーレットの動作状態でスルー入賞口８或いは９をパチンコ玉が通過したときには、その入賞数がサブ抽選保留玉数として最大で「４」まで保持されると共に、保留玉表示部１２ａに表示され、そのサブ抽選保留玉数に相当した回数だけサブ抽選用ルーレットの動作が行われる。
【００５５】
従って、上記した本実施例の構成によれば、以下に述べるような作用・効果を奏することができる。
即ち、本実施例によるパチンコ遊技機１によれば、スタート入賞口６へパチンコ玉が入賞することにより発生した抽選権利に基づくメイン抽選動作により大当たりが発生したときには、大当たり用入賞口７の開放動作が開始されて入賞率が高められた特賞状態に切り替えられる。また、このような特賞状態にある期間、並びにメイン抽選動作の結果を表示するためのメイン抽選用ルーレットが動作されている期間には、スタート入賞口６への入賞パチンコ玉数が、抽選権利数を示すメイン抽選保留玉数として計数されると共に、保留玉数表示エリア１３に表示され、そのメイン抽選保留玉数が「１」以上ある期間には、特賞状態にないことを条件にメイン抽選用ルーレットが動作されると共に、メイン抽選保留玉数が逐次減少される。この場合、上記メイン抽選保留玉数が予め決められたしきい値である「１０」以上となった期間には、メイン抽選動作での大当たり確率が通常期間の１／１５０から１／５０までに高められた確率変動状態へ移行する構成となっている。
【００５６】
このようにメイン抽選保留玉数の大小が遊技客側に有利な確率変動状態の発生の有無に関与する結果、遊技客側では、パチンコ遊技機１が特賞状態（大当たり状態）にない通常期間、つまり、一般的にパチンコ遊技機１での遊技時において長い時間を占めることになる期間においても確率変動状態が発生することへの期待感が高まるようになる。また、遊技客側ではメイン抽選保留玉数の増減状態（保留玉数表示エリア１３の表示状態）にも気を配りながら遊技を行うようになって、遊技態様が単調になって遊技に飽きるといった事態を防止できるようになる。つまり、従来構成のように遊技態様が単調になることがなくなり、結果的に遊技に対する興趣の向上を期待できるようになる。
【００５７】
しかも、本実施例によれば、確率変動状態の発生後にその状態を継続させるためには、メイン保留玉数がしきい値（＝１０）以上あることが前提になるが、そのメイン抽選保留玉数は、時間の経過（メイン抽選用ルーレットの動作）と共に減少するという事情がある。このように確率変動状態の発生及び継続のために時間的要素が加味される結果、遊技客側では、遊技中においてメイン抽選保留玉数が常にしきい値以上となるように努めることになるから、遊技に集中できるようになって遊技に対する興趣が自ずと向上することになる。また、遊技客側にとっては、遊技を継続的に行うことが自身の利益に繋がるので、パチンコ遊技機１の設置者側にとっては当該パチンコ遊技機１の稼働率の向上を期待できるようになる。
【００５８】
さらに、本実施例では、動作状態でスタート入賞口６へのパチンコ玉の入賞確率を高めた状態を呈する電動チューリップ６ａを設け、遊技により所定条件が成立したとき、つまり、スルー入賞口８、９への入賞に応じて実行されるサブ抽選動作の結果が当たりとなったときに、当該電動チューリップ６ａを動作させる構成となっている。このため、サブ抽選動作の結果が当たりになったときには、スタート入賞口６へのパチンコ玉の入賞確率が高くなって、メイン抽選保留玉数が増える方向に作用するため、確率変動状態が発生しやすくなる。この結果、サブ抽選動作の結果、つまり、電動チューリップ６ａを動作させるか否かも遊技の興趣対象となって、遊技態様にメリハリがつくようになり、遊技に対する興趣の向上を実現できるようになる。
【００５９】
また、本実施例によれば、特賞状態へ移行した期間、つまり遊技客側が多量のパチンコ玉を獲得できる期間においても、スタート入賞口６へ入賞したパチンコ玉数がメイン抽選保留玉数として計数される。このため、特賞状態にある期間には、確率変動状態へ移行してさらに多量のパチンコ玉を獲得できる可能性が高くなるものであり、結果的に、遊技に対する興趣の向上を図る上で極めて有益になる。
【００６０】
また、本実施例においては、大当たりの態様として「スーパー大当たり」と  「ノーマル大当たり」との２種類が設定され、「スーパー大当たり」が発生して特賞状態に移行した期間には、サブ抽選動作が当たりになったときの電動チューリップ６ａの開放時間が通常時の０．５秒から５秒に延長されると共に、サブ抽選動作の当たり確率が通常時の１／１０から１／２まで高められる構成となっている。このため、「スーパー大当たり」により特賞状態へ移行した期間、つまり遊技客側が多量のパチンコ玉を獲得できる期間には、電動チューリップ６ａが動作される確率が高くなると共に、その動作時間が延長されて、スタート入賞口６へのパチンコ玉の入賞確率が高くなるため、メイン抽選保留玉数が増える方向に作用して、確率変動状態が発生する可能性が高くなる。この結果、メリハリのついた遊技態様が得られるようになり、上記のような利益が得られる電動チューリップ６ａの存在、並びに上記「スーパー大当たり」の発生有無が遊技客側の利益に直結するという事情とあいまって、遊技に対する興趣の向上に大きく寄与できるようになる。
【００６１】
尚、本発明は上記した実施例に限定されるものではなく、以下に述べるような変形或いは拡大が可能である。
メイン抽選保留玉数がしきい値以上あるか否かに基づいて確率変動状態へ移行させる制御を行う構成としたが、そのメイン抽選保留玉数の増減態様に応じて確率変動状態へ移行させる構成としても良い。例えば、メインルーレットの１回の動作中にメイン抽選保留玉数が設定個数（例えば５個）以上増加したときに確率変動状態へ移行し、その後にメイン抽選保留玉数が第２の設定個数（例えば０個）に減ったときに通常状態に戻る構成が考えられる。また、１回の特賞期間中にメイン抽選保留玉数が設定個数（例えば７０個）以上増加したときに確率変動状態へ移行し、その後にメイン抽選保留玉数が第２の設定個数  （例えば５０個）に減ったときに通常状態に戻る構成も考えられる。
【００６２】
パチンコ遊技機１が特賞状態にある期間にスタート入賞口６へ入賞したパチンコ玉をメイン抽選保留玉数として計数する構成としたが、この期間にはスタート入賞口６への入賞パチンコ玉数を計数しない構成としても良い。
大当たりの態様として「スーパー大当たり」と「ノーマル大当たり」との２種類を設定し、「スーパー大当たり」により特賞状態が発生した期間には、サブ抽選動作の結果に応じた電動チューリップ６ａの開放時間を通常時より延長する構成としたが、「スーパー大当たり」及び「ノーマル大当たり」の区分をなくし、特賞状態にある期間には、サブ抽選動作の結果に応じた電動チューリップ６ａの開放時間を通常時より延長する構成としても良い。
【００６３】
保留玉数表示エリア１３に表示するメイン抽選保留玉数の上限値、つまり、メイン抽選用ルーレットについての動作権利回数の蓄積最大値を「１００」に設定したが、これに限られるものではなく、無制限であっても良い。また、電動チューリップ６ａ、スルー入賞口８及び９、サブ図柄表示エリア１２、保留玉数表示エリア１３は必要に応じて設ければ良い。さらに、保留玉数表示エリア１３は、メイン抽選用ルーレットについての動作権利回数の表示を、ドットを利用してデジタル的に行う構成としたが、数字を利用してデジタル的に表示したり、棒グラフ、円グラフなどを使用してアナログ的に表示する構成であっても良い。
【図面の簡単な説明】
【図１】本発明の一実施例を示すパチンコ遊技機の電気的構成図
【図２】パチンコ遊技機の概略的な正面図
【図３】表示装置の構成例を概略的に示す正面図
【図４】制御例の全体を概略的に示すフローチャート
【図５】スルー入賞処理の制御例を示すフローチャート
【図６】サブ図柄変動処理の制御例を示すフローチャート
【図７】スタート入賞処理の制御例を示すフローチャート
【図８】メイン図柄変動処理の制御例を示すフローチャート
【図９】大当たり処理の制御例を示すフローチャート
【符号の説明】
１はパチンコ遊技機、６はスタート入賞口（特定入賞口）、６ａは電動チューリップ（役物）、７は大当たり用入賞口、８、９はスルー入賞口、１０は表示装置、１１はメイン図柄表示エリア（抽選結果表示手段）、１２はサブ図柄表示エリア、１３は保留玉数表示エリア、２０はＣＰＵ（計数手段、抽選権利制御手段、遊技制御手段、役物制御手段）を示す。
【図１】
0004541630.tif 000002
【図２】
0004541630.tif 000003
【図３】
0004541630.tif 000004
【図４】
0004541630.tif 000005
【図５】
0004541630.tif 000006
【図６】
0004541630.tif 000007
【図７】
0004541630.tif 000008
【図８】
0004541630.tif 000009
【図９】
0004541630.tif 000010